(57)【要約】【課題】発信局コード（ＯＰＣ）または着信局コード（ＤＰＣ）および回線識別コード（ＣＩＣ）のメッセージ変更の指示に依存し得るプロセッサおよびマッピングデータベースを含む信号中継局（ＳＴＰ）またはシグナリングサーバグローバル（ＳＳＧ）を提供すること。【解決手段】ＳＴＰは、別の遠隔通信ネットワーク内に配置された外部スイッチからメッセージを受信し、削除中または削除済みの、本来は古いスイッチに向けられたメッセージを、以前は古いスイッチに接続されていたトランクを現在収容している新しいスイッチにリダイレクトする。新しいスイッチからの戻りトラフィックも、外部スイッチがメッセージを受信すると、古いスイッチから発信されたかのように見えるように、ＳＴＰによって処理される。その結果、ＳＴＰのユーザは、他のキャリアネットワークに含まれるＳＳ７データベースに影響を与えることなく、スイッチを透過的に統合できる。【選択図】      図２Ａ
2006148918.tif 000002
【特許請求の範囲】
【請求項１】
プロセッサと、
マッピングデータベースとを備える信号中継局であって、前記プロセッサおよび前記マッピングデータベースが、
外部スイッチによって発信された呼処理メッセージを受信するステップと、
呼処理メッセージを、再マップされた呼処理メッセージが古いスイッチではなく新しいスイッチに送信され得るように再マップするステップであって、
呼処理メッセージ中の着信局コード（ＤＰＣ）の値を、古いスイッチではなく新しいスイッチを示すように変更するステップと、
呼処理メッセージ中の回線識別コード（ＣＩＣ）の値を、古いスイッチに関連づけられた古いトランクではなく新しいスイッチに関連づけられた新しいトランクを示すように変更するステップとを実施することによって再マップするステップと、
再マップされた呼処理メッセージを新しいスイッチに転送するステップであって、外部スイッチが、呼処理メッセージが再マップされ新しいスイッチに転送されたことを知らされないステップとを実施する信号中継局。
【請求項２】
前記プロセッサが、新しいスイッチから第２の呼処理メッセージを受信し、次いで、前記プロセッサおよび前記マッピングデータベースが、
第２の呼処理メッセージの発信局コード（ＯＰＣ）の値を、新しいスイッチではなく古いスイッチを示すように変更するステップと、
第２の呼処理メッセージ中の回線識別コード（ＣＩＣ）の値を、新しいスイッチに関連づけられた新しいトランクではなく古いスイッチに関連づけられた古いトランクを示すように変更するステップとを実施することによって、第２の呼処理メッセージを再マップするステップと、
再マップされた第２の呼処理メッセージを外部スイッチに転送するステップとを実施する請求項１に記載の信号中継局。
【請求項３】
前記呼処理メッセージが、アドレス開始メッセージ（ＩＡＭ）であり、
前記第２の呼処理メッセージが、アドレス完了メッセージ（ＡＣＭ）である請求項２に記載の信号中継局。
【請求項４】
前記古いスイッチおよび新しいスイッチが、第１の遠隔通信ネットワークに関連づけられ、
前記外部スイッチが、第２の遠隔通信ネットワークに関連づけられる請求項１に記載の信号中継局。
【請求項５】
前記プロセッサおよび前記マッピングデータベースではなく前記新しいスイッチが、前記古いスイッチから前記新しいスイッチへのトランクすべての統合が完了された後、再マップするステップを実施する請求項１に記載の信号中継局。
【請求項６】
第１の遠隔通信ネットワーク内に両方とも配置された古いスイッチから新しいスイッチにトランクを統合する間、信号中継局内部で実行される方法であって、
第２の遠隔通信ネットワーク内に配置された外部スイッチから呼処理メッセージを受信するステップと、
呼処理メッセージを、再マップされた呼処理メッセージが古いスイッチではなく新しいスイッチに送信され得るように再マップするステップであって、
呼処理メッセージ中の着信局コード（ＤＰＣ）の値を、古いスイッチではなく新しいスイッチを示すように変更するステップと、
呼処理メッセージ中の回線識別コード（ＣＩＣ）の値を、古いスイッチに関連づけられた古いトランクではなく新しいスイッチに関連づけられた新しいトランクを示すように変更するステップとを実施することによって再マップするステップと、
再マップされた呼処理メッセージを新しいスイッチに転送するステップであって、外部スイッチが、呼処理メッセージが再マップされ新しいスイッチに転送されたことを知らされないステップとを含む方法。
【請求項７】
前記信号中継局も、
新しいスイッチから第２の呼処理メッセージを受信するステップと、
第２の呼処理メッセージを再マップするステップであって、
第２の呼処理メッセージの発信局コード（ＯＰＣ）の値を、新しいスイッチではなく古いスイッチを示すように変更するステップと、
第２の呼処理メッセージ中の回線識別コード（ＣＩＣ）の値を、新しいスイッチに関連づけられた新しいトランクではなく古いスイッチに関連づけられた古いトランクを示すように変更するステップとを実施することによって再マップするステップと、
再マップされた第２の呼処理メッセージを外部スイッチに転送するステップとを実行する請求項６に記載の方法。
【請求項８】
前記呼処理メッセージが、アドレス開始メッセージ（ＩＡＭ）であり、
前記第２の呼処理メッセージが、アドレス完了メッセージ（ＡＣＭ）である請求項７に記載の方法。
【請求項９】
前記信号中継局ではなく前記新しいスイッチが、前記古いスイッチから前記新しいスイッチへのトランクすべての統合が完了された後、再マップするステップを実施する請求項６に記載の方法。
【請求項１０】
新しいスイッチと、
古いスイッチと、
信号中継局とを備える遠隔通信ネットワークであって、前記信号中継局が、
もう１つの遠隔通信ネットワーク内に配置された外部スイッチから呼処理メッセージを受信するステップと、
呼処理メッセージを、再マップされた呼処理メッセージが古いスイッチではなく新しいスイッチに送信され得るように再マップするステップであって、
呼処理メッセージ中の着信局コード（ＤＰＣ）の値を、古いスイッチではなく新しいスイッチを示すように変更するステップと、
呼処理メッセージ中の回線識別コード（ＣＩＣ）の値を、古いスイッチに関連づけられた古いトランクではなく新しいスイッチに関連づけられた新しいトランクを示すように変更するステップとを実施することによって再マップするステップと、
再マップされた呼処理メッセージを新しいスイッチに転送するステップであって、外部スイッチが、呼処理メッセージが再マップされ新しいスイッチに転送されたことを知らされないステップとを実施する遠隔通信ネットワーク。
【発明の詳細な説明】
【技術分野】
【０００１】
本発明は概して、遠隔通信フィールドに関し、詳細には、キャリアに、他のどのキャリアにも知らせる必要なく、あるスイッチから別のスイッチにトランク（音声回線）を割り当て直すことを可能にする信号中継局（ＳＴＰ）および方法に関する。
【背景技術】
【０００２】
今日、遠隔通信フィールド内の多くのキャリアは、所有している古いスイッチを、増大し続けているトラフィック負荷をよりうまく扱うことができる、新しい改良型スイッチで置き換える必要がある。また、キャリアは、古いスイッチを新しいスイッチで置き換える際、多数のトランク（音声回線）の一端を、古いスイッチから新しいスイッチに動かす必要がある。これまで、この移動により問題が引き起こされてきた。というのは、キャリアは、他方のトランク端が接続されている外部スイッチを監視する遠隔キャリアに、外部スイッチのデータベースを更新できるように変更を知らせる必要があったからである。このため、遠隔キャリアが、トランクを動かしたキャリアに対して、外部スイッチのデータベースを更新する際のコストを課金することになるので、トランクを動かしたキャリアにとって費用が発生した。
【０００３】
この問題への対処を助けるために、現在はアルカテルの一部であるＤＳＣ  Ｃｏｍｍｕｎｉｃａｔｉｏｎｓ  Ｃｏｒｐｏｒａｔｉｏｎが、ＭｅｇａＨｕｂ（登録商標）ＳＴＰとして知られるＳＴＰを設計した。ＭｅｇａＨｕｂ（登録商標）ＳＴＰは、別のキャリアが変更を知らされる必要がなく、したがって他のキャリアが外部スイッチにあるデータベースにいかなる変更も行う必要がないように、キャリアに、１つまたは複数のトランクを、１つのスイッチ（古いスイッチ）から別のスイッチ（新しいスイッチ）に割り当て直すことを可能にする「信号局コードマッピング特徴」を有する。ＭｅｇａＨｕｂ（登録商標）ＳＴＰがこれをどのようにして行うかは、図１Ａおよび１Ｂに示されるブロック図およびフローチャートを参照して後で説明される。
【０００４】
図１Ａおよび１Ｂ（従来技術）に示されるように、従来のＳＴＰ１００は、外部スイッチ１０８から、信号方式Ｎｏ．７（ＳＳ７）リンク１１２上の呼処理メッセージ１１０（たとえば、アドレス開始メッセージ（ＩＡＭ）１１０）を受信する（ステップ１０２ｂ）。外部スイッチ１０８が呼処理メッセージ１１０を構成したので、メッセージ１１０は、従来のＳＴＰ１００によって古いスイッチ１０４に送信されると思われる。しかし、従来のＳＴＰ１００は、古いスイッチ１０４に呼処理メッセージ１１０を送信しない。そうではなく、従来のＳＴＰ１００は、呼処理メッセージ１１０を再マップし（ステップ１０４ｂ）、そうすることによって、再マップされた呼処理メッセージ１１４は、ＳＳ７リンク１１６を介して新しいスイッチ１０６に送信され得る。
【０００５】
上記を遂行するために、従来のＳＴＰ１００は、呼処理メッセージ１１０中の着信局コード（ＤＰＣ）の値を、古いスイッチ１０４（古いスイッチ「Ｂ」で示される）ではなく新しいスイッチ１０６（新しいスイッチ「Ａ」で示される）を示すように変更するためのソフトウェアを実装するプロセッサ１１８およびマッピングデータベース１２０を有する。従来のＳＴＰ１００によって、どのようにして呼処理メッセージ１１０が再マップされ得るかを示す例示的なメッセージシーケンステーブルが、以下に挙げられる。
ＤＰＣ  ＯＰＣ  ＣＩＣ
Ｂ      Ｘ    １００  →  呼処理メッセージ１１０
Ａ      Ｘ    １００  →  再マップされた呼処理メッセージ１１４
上記テーブルで、
ＤＰＣは、着信局コードである。
ＯＰＣは、発信局コードである。
ＣＩＣは、回線識別コードである。
Ｂは、古いスイッチ１０４である。
Ａは、新しいスイッチ１０６である。
Ｘは、外部スイッチ１０８である。
【０００６】
従来のＳＴＰ１００は次いで、再マップされた呼処理メッセージ１１４を、新しいスイッチ１０６に転送する（ステップ１０６ｂ）。再マップされた呼処理メッセージ１１４を受信すると、新しいスイッチ１０６は、再マップされた呼処理メッセージ１１４中のＣＩＣに関連づけられた、割り当て直されたトランク１０２’（「ＣＩＣ１００」で示される）を捕らえる（ステップ１０８ｂ）。新しいスイッチ１０６は次いで、別の呼処理メッセージ１２２（アドレス完了メッセージ（ＡＣＭ）１２２）を、従来のＳＴＰ１００に送信する（ステップ１１０ｂ）。従来のＳＴＰ１００は、この呼処理メッセージ１２２を、新しいスイッチ１０６ではなく古いスイッチ１０４から、再マップされた呼処理メッセージ１２４が発信されたように見えるように再マップする（ステップ１１２ｂ）。
【０００７】
上記を遂行するために、従来のＳＴＰ１００、具体的にはプロセッサ１１８およびマッピングデータベース１２０は、呼処理メッセージ１２２中の発信局コード（ＯＰＣ）の値を、新しいスイッチ１０６（新しいスイッチ「Ａ」で示される）ではなく古いスイッチ１０４（古いスイッチ「Ｂ」で示される）を示すように変更するためのソフトウェアを実装する。従来のＳＴＰ１００によってどのようにして呼処理メッセージ１２２が再マップされ得るかを示す例示的なメッセージシーケンステーブルが、以下に挙げられる。
ＤＰＣ  ＯＰＣ  ＣＩＣ
Ｘ      Ａ    １００  →  呼処理メッセージ１２２
Ｘ      Ｂ    １００  →  再マップされた呼処理メッセージ１２４
【発明の開示】
【発明が解決しようとする課題】
【０００８】
従来のＳＴＰ１００は次いで、再マップされた呼処理メッセージ１２４を、外部スイッチ１０８に転送する（ステップ１１４ｂ）。図を見るとわかるように、外部スイッチ１０８は、トランク１０２が割り当て直されていて、現在は新しいスイッチ１０６に接続されていても、古いスイッチ１０４に接続されていると見なす。この処理がすべて終わった後、外部スイッチ１０８は、実際には新しいスイッチ１０６であるにもかかわらず古いスイッチ１０４であると確信しているスイッチを使って呼を確立することができる。従来のＳＴＰ１００は問題なく動作するが、キャリアがトランク１０２を古いスイッチ１０４から新しいスイッチ１０６に割り当て直し動かす際にキャリアにより優れた柔軟性をもたらすように、改良される余地があり得る。ＳＴＰおよび方法の改良が、本発明の対象である。
【課題を解決するための手段】
【０００９】
本発明は、メッセージに含まれる発信局コード（ＯＰＣ）または着信局コード（ＤＰＣ）および回線識別コード（ＣＩＣ）のメッセージ変更の指示に依存し得るプロセッサおよびマッピングデータベースを有するＳＴＰを含む。このようなものとして、ＳＴＰは、別の遠隔通信ネットワーク内に配置された外部スイッチからメッセージを受信し、削除プロセス中または削除済みの、本来は古いスイッチに向けられたメッセージを、以前は古いスイッチに接続されていたトランクを現在収容している新しいスイッチにリダイレクトすることができる。新しいスイッチからの戻りトラフィックも、外部スイッチがメッセージを受信すると、メッセージが古いスイッチから発信されたかのように見えるように、ＳＴＰによって処理される。その結果、ＳＴＰのユーザは、他のキャリアネットワークに含まれるＳＳ７データベースに影響を与えることなく、スイッチを透過的に統合することができる。
【００１０】
本発明は、以下の詳細な説明を添付の図面と併せ読み、参照することによってより完全に理解されることができよう。
【発明を実施するための最良の形態】
【００１１】
図２Ａおよび２Ｂを参照すると、それぞれ、キャリアが、トランク２０２の一端を、トランク２０２の他方の端に接続された外部スイッチ２０８を監視する遠隔キャリアに知らせる必要なく、１つのスイッチ２０４（たとえば、古いスイッチ２０４）から別のスイッチ２０６（たとえば、新しいスイッチ２０６）に割り当て直すことを、どのようにして信号サーバ２００（たとえば、ＳＴＰ２００、ＳＳＧ２００）が可能にするかを記述するのに用いられる２つの遠隔通信ネットワークのブロック図および方法２００ｂのフローチャートが示されている。基本的に、本発明のＳＴＰ２００は、信号局コード（ｐｏｉｎｔ  ｃｏｄｅ）およびＣＩＣマッピング特徴を実装し、従来のＳＴＰ１００で行われるように、信号局コードのみではなく、信号局コードおよびＣＩＣが両方ともマップされる。信号局コードおよびＣＩＣの両方をマップすることの利点、ならびにこのマップがＳＴＰ２００によってどのようにして遂行されるかは、図２Ａおよび２Ｂを参照して後で説明される。
【００１２】
図に示されるように、ＳＴＰ２００は、外部スイッチ２０８から、ＳＳ７リンク２１２上の呼処理メッセージ２１０（たとえば、アドレス開始メッセージ（ＩＡＭ）２１０）を受信する（ステップ２０２ｂ）。外部スイッチ２０８が呼処理メッセージ２１０を構成したので、メッセージ２１０は、ＳＴＰ２００によって、古いスイッチ２０４に送信されると思われる。しかし、ＳＴＰ２００は、古いスイッチ２０４に呼処理メッセージ２１０を送信しない。そうではなく、ＳＴＰ２００は、呼処理メッセージ２１０を再マップし（ステップ２０４ｂ）、そうすることによって、再マップされた呼処理メッセージ２１４は、ＳＳ７リンク２１４を介して新しいスイッチ２０６に送信され得る。
【００１３】
上記を遂行するために、ＳＴＰ２００は、（１）呼処理メッセージ２１０中のＤＰＣの値を、古いスイッチ２０４（古いスイッチ「Ｂ」で示される）ではなく新しいスイッチ２０６（新しいスイッチ「Ａ」で示される）を示すように、かつ（２）ＣＩＣの値を、古いスイッチ２０４に関連づけられた古いトランク回線２０２（「ＣＩＣ１００」で示される）ではなく新しいスイッチ２０６に関連づけられた新しいトランク２０２’（「ＣＩＣ８００」で示される）を示すように変更するためのソフトウェアを実装するプロセッサ２１８およびマッピングデータベース２２０を有する。ＳＴＰ２００によってどのようにして呼処理メッセージ２１０が再マップされ得るかを示す例示的なメッセージシーケンステーブルが、以下に挙げられる。
ＤＰＣ  ＯＰＣ  ＣＩＣ
Ｂ      Ｘ    １００  →  呼処理メッセージ２１０
Ａ      Ｘ    ８００  →  再マップされた呼処理メッセージ２１４
上記テーブルで、
ＤＰＣは、着信局コードである。
ＯＰＣは、発信局コードである。
ＣＩＣは、回線識別コードである。
Ｂは、古いスイッチ２０４である。
Ａは、新しいスイッチ２０６である。
Ｘは、外部スイッチ２０８である。
【００１４】
ＳＴＰ２００は次いで、再マップされた呼処理メッセージ２１４を、新しいスイッチ２０６に転送する（ステップ２０６ｂ）。再マップされた呼処理メッセージ２１４を受信すると、新しいスイッチ２０６は、再マップされた呼処理メッセージ２１４中のＣＩＣに関連づけられた、割り当て直されたトランク２０２’（「ＣＩＣ８００」で示される）を捕らえる（ステップ２０８ｂ）。新しいスイッチ２０６は次いで、別の呼処理メッセージ２２２（アドレス完了メッセージ（ＡＣＭ）２２２）を、ＳＴＰ２００に送信する（ステップ２１０ｂ）。ＳＴＰ２００は、この呼処理メッセージ２２２を、新しいスイッチ２０６ではなく古いスイッチ２０４から、再マップされた呼処理メッセージ２２４が発信されたように見えるように再マップする（ステップ２１２ｂ）。
【００１５】
上記を遂行するために、ＳＴＰ２００、具体的にはプロセッサ２１８およびマッピングデータベース２２０は、（１）呼処理メッセージ２２２中のＯＰＣの値を、新しいスイッチ２０６（新しいスイッチ「Ａ」で示される）ではなく古いスイッチ２０４（古いスイッチ「Ｂ」で示される）を示すように、かつ（２）ＣＩＣの値を、新しいスイッチ２０６に関連づけられた新しいトランク２０２’（「ＣＩＣ８００」で示される）ではなく古いスイッチ２０４に関連づけられた古いトランク回線２０２（「ＣＩＣ１００」で示される）を示すように変更するためのソフトウェアを実装する。ＳＴＰ２００によってどのようにして呼処理メッセージ２２２が再マップされ得るかを示す例示的なメッセージシーケンステーブルが、以下に挙げられる。
ＤＰＣ  ＯＰＣ  ＣＩＣ
Ｘ      Ａ    ８００  →  呼処理メッセージ２２２
Ｘ      Ｂ    １００  →  再マップされた呼処理メッセージ２２４
【００１６】
ＳＴＰ２００は次いで、再マップされた呼処理メッセージ２２４を、外部スイッチ２０８に転送する（ステップ２１４ｂ）。図を見るとわかるように、外部スイッチ２０８は、トランク２０２が割り当て直されていて、現在は新しいスイッチ２０６に接続されていても、古いスイッチ２０４に接続されていると見なす。この処理がすべて終わった後、外部スイッチ２０８は、実際には新しいスイッチ２０６であるにもかかわらず古いスイッチ２０４であると確信しているスイッチを使って呼を確立することができる。
【００１７】
信号局コードおよびＣＩＣマッピング特徴を実装するＳＴＰ２００は、従来のＳＴＰ１００と比較すると、ＣＩＣの番号づけに関してより優れた柔軟性をキャリアにもたらす。この柔軟性は、キャリアが新しいスイッチ２０６に接続されたトランク２０２’のＣＩＣに番号をつけ直すことができ、したがって古いスイッチ２０４に接続されたトランク２０２の番号とは異なっている図２Ａに見られ得る。ＣＩＣの番号のつけ直しは、古いトランク１０２と新しいトランク１０２’の間に信号局コードマッピングを実装する従来のＳＴＰ１００では可能でない（図１Ａを参照）。
【００１８】
図３Ａおよび３Ｂを参照すると、それぞれ、古いスイッチ２０４から新しいスイッチ２０６へのトランク２０２すべての統合が完了した後、どのようにして信号サーバ２００ではなく新しいスイッチ２０６が、信号局コードおよびＣＩＣマッピング特徴を実装することができるかを記述するのに用いられる２つの遠隔通信ネットワークのブロック図および方法３００ｂのフローチャートが示されている。この実装は、キャリアがトランク２０２をすべて新しいスイッチ２０６に割り当て直し／統合し、古いスイッチ２０４を削除すると、ＳＴＰ２００の処理義務を削減するために新しいスイッチ２０６が信号局コードおよびＣＩＣマッピング特徴を実装している場合には有益となるので重要である。どのようにしてこの実装が遂行され得るかは、図３Ａおよび３Ｂを参照して後で説明される。
【００１９】
図に示されるように、ＳＴＰ２００は、外部スイッチ２０８から、ＳＳ７リンク２１２上の呼処理メッセージ２１０（たとえば、アドレス開始メッセージ（ＩＡＭ）２１０）を受信する（ステップ３０２ｂ）。外部スイッチ２０８が、呼処理メッセージ２１０を構成したので、メッセージ２１０は、ＳＴＰ２００によって古いスイッチ２０４に送信されると思われる。しかし、ＳＴＰ２００は、ＳＳ７ルーティングテーブル３０２を調べた後、新しいスイッチ２０６に呼処理メッセージ２１０を向ける（ステップ３０４ｂ）。新しいスイッチ２０６は、呼処理メッセージ２１０を再マップして（ステップ３０６ｂ）、再マップされた呼処理メッセージ２１４を作成する。上記を遂行するために、新しいスイッチ２０６は、（１）呼処理メッセージ２１０中のＤＰＣの値を、古いスイッチ２０４（古いスイッチ「Ｂ」で示される）ではなく新しいスイッチ２０６（新しいスイッチ「Ａ」で示される）を示すように、かつ（２）ＣＩＣの値を、古いスイッチ２０４に関連づけられた古いトランク２０２（「ＣＩＣ１００」で示される）ではなく新しいスイッチ２０６に関連づけられた新しいトランク２０２’（「ＣＩＣ８００」で示される）を示すように変更するためのソフトウェアを実装するプロセッサ３０４およびマッピングデータベース３０６を有する。新しいスイッチ２０６によってどのようにして呼処理メッセージ２１０が再マップされ得るかを示す例示的なメッセージシーケンステーブルが、以下に挙げられる。
ＤＰＣ  ＯＰＣ  ＣＩＣ
Ｂ      Ｘ    １００  →  呼処理メッセージ２１０
Ａ      Ｘ    ８００  →  再マップされた呼処理メッセージ２１４
上記テーブルで、
ＤＰＣは、着信局コードである。
ＯＰＣは、発信局コードである。
ＣＩＣは、回線識別コードである。
Ｂは、古いスイッチ２０４である。
Ａは、新しいスイッチ２０６である。
Ｘは、外部スイッチ２０８である。
【００２０】
メッセージは次いで、新しいスイッチ上の呼処理ソフトウェアによって処理される（ＳＴＰがマッピングを以前通り実施したかのように）。この時点で、新しいスイッチ２０６は、再マップされた呼処理メッセージ２１４中のＣＩＣに関連づけられた、割り当て直されたトランク２０２’（「ＣＩＣ８００」で示される）を捕らえる（ステップ３０８ｂ）。新しいスイッチ２０６は次いで、別の呼処理メッセージ２２２（アドレス完了メッセージ（ＡＣＭ）２２２）を、新しいスイッチ２０６ではなく古いスイッチ２０４から再マップされた呼処理メッセージ２２４が発信されたように見えるように、作成し再マップする（ステップ３１０ｂ）。上記を遂行するために、新しいスイッチ２０６、具体的にはプロセッサ３０４およびマッピングデータベース３０６は、（１）呼処理メッセージ２２２中のＯＰＣの値を、新しいスイッチ２０６（新しいスイッチ「Ａ」で示される）ではなく古いスイッチ２０４（古いスイッチ「Ｂ」で示される）を示すように、かつ（２）ＣＩＣの値を、新しいスイッチ２０６に関連づけられた新しいトランク２０２’（「ＣＩＣ８００」で示される）ではなく古いスイッチ２０４に関連づけられた古いトランク２０２（「ＣＩＣ１００」で示される）を示すように変更するためのソフトウェアを実装する。新しいスイッチ２０６によってどのようにして呼処理メッセージ２２２が再マップされ得るかを示す例示的なメッセージシーケンステーブルが、以下に挙げられる。
ＤＰＣ  ＯＰＣ  ＣＩＣ
Ｘ      Ａ    ８００  →  呼処理メッセージ２２２
Ｘ      Ｂ    １００  →  再マップされた呼処理メッセージ２２４
【００２１】
新しいスイッチ２０６は次いで、再マップされた呼処理メッセージ２２２を、ＳＴＰ２００に転送する（ステップ３１２ｂ）。ＳＴＰ２００は次いで、再マップされた呼処理メッセージ２２４を外部スイッチ２０８に転送する（ステップ３１４ｂ）。図を見るとわかるように、外部スイッチ２０８は、トランク２０２が割り当て直されていて、現在は新しいスイッチ２０６に接続されていても、古いスイッチ２０４に接続されていると見なす。この処理がすべて終わった後、外部スイッチ２０８は、実際には新しいスイッチ２０６であるにもかかわらず古いスイッチ２０４であると確信しているスイッチを使って呼を確立することができる。
【００２２】
以下は、本発明のいくつかの特徴、利点、および用法である。
・図２〜３で示し上述したように、キャリアは、本発明の信号局コードおよびＣＩＣマッピング特徴を使って、ただ１つのトランク２０２ではなく複数のトランク２０２を、古いスイッチ２０４から新しいスイッチ２０６に統合し、または割り当て直すのを助けることができることが理解されるべきである。
・ＳＴＰ２００は、信号中継局（ＳＴＰ）でも、シグナリングサーバグローバル（ＳＳＧ）でも、ＳＴＰ機能を実施する他のどのネットワーク要素でもよい。
・ＳＴＰ２００ならびに方法２００ｂおよび３００ｂは、キャリアに、他のキャリアとの信号局コードおよび回線割当ての調整に関連するコストを削減させる。
・上述したＳＴＰ２００、古いスイッチ２０４、および新しいスイッチ２０６に関連する多くの構成要素および詳細は、当業界においてよく知られていることが理解されるべきである。したがって、明確にするために、上で行った説明では、本発明を理解するのに必要ない、そうしたよく知られている構成要素および詳細を省略した。
【００２３】
本発明の２つの実施形態が添付の図面に例示され、上記の詳細な説明で記載されたが、本発明は、開示した実施形態に限定されず、添付の特許請求の範囲によって示され定義されるように、本発明の精神から逸脱することなく多数の再構成形態、修正形態、および代替形態が可能であることが理解されるべきである。
【図面の簡単な説明】
【００２４】
【図１Ａ】（従来技術）従来の信号サーバの信号局コードマッピング特徴の記述を助けるのに用いられる２つの遠隔通信ネットワークを示すブロック図である。
【図１Ｂ】（従来技術）従来の信号サーバの信号局コードマッピング特徴の記述を助けるのに用いられる方法を示すフローチャートである。
【図２Ａ】本発明による信号サーバ（たとえば、ＳＴＰ、ＳＳＧ）の信号局コードマッピングおよびＣＩＣマッピング特徴の記述を助けるのに用いられる２つの遠隔通信ネットワークを示すブロック図である。
【図２Ｂ】本発明による信号サーバ（たとえば、ＳＴＰ、ＳＳＧ）の信号局コードマッピングおよびＣＩＣマッピング特徴の記述を助けるのに用いられる方法を示すフローチャートである。
【図３Ａ】本発明の別の態様に従って、古いスイッチから新しいスイッチへのトランクのすべての統合が完了された後、どのようにして信号サーバではなく新しいスイッチが、信号局コードおよびＣＩＣマッピング特徴を実装することができるかの記述を助けるのに用いられる２つの遠隔通信ネットワークを示すブロック図である。
【図３Ｂ】本発明の別の態様に従って、古いスイッチから新しいスイッチへのトランクのすべての統合が完了された後、どのようにして信号サーバではなく新しいスイッチが、信号局コードおよびＣＩＣマッピング特徴を実装することができるかの記述を助けるのに用いられる方法を示すフローチャートである。
【符号の説明】
【００２５】
１００  従来のＳＴＰ
１０２  古いトランク
１０２’  新しいトランク
１０４  古いスイッチ
１０６  新しいスイッチ
１０８  外部スイッチ
１１０、２１０  呼処理メッセージ、アドレス開始メッセージ（ＩＡＭ）
１１２、１１６、２１２、２１６  信号方式Ｎｏ．７（ＳＳ７）リンク
１１４、１２４、２１４、２２４  再マップされた呼処理メッセージ
１１８、２１８、３０４  プロセッサ
１２０、２２０、３０６  マッピングデータベース
１２２、２２２  呼処理メッセージ、アドレス完了メッセージ（ＡＣＭ）
２００  信号サーバ、ＳＴＰ、ＳＳＧ
２０２  トランク、古いトランク回線
２０２’  新しいトランク、割り当て直されたトランク
２０４  スイッチ、古いスイッチ
２０６  スイッチ、新しいスイッチ
２０８  外部スイッチ、新しいスイッチ
３０２  ＳＳ７ルーティングテーブル
【図１Ａ】
2006148918.tif 000003
【図１Ｂ】
2006148918.tif 000004
【図２Ａ】
2006148918.tif 000005
【図２Ｂ】
2006148918.tif 000006
【図３Ａ】
2006148918.tif 000007
【図３Ｂ】
2006148918.tif 000008
【外国語明細書】
2006148918.tif 000009
2006148918.tif 000010
2006148918.tif 000011
2006148918.tif 000012
2006148918.tif 000013
2006148918.tif 000014
2006148918.tif 000015
2006148918.tif 000016
2006148918.tif 000017
2006148918.tif 000018
2006148918.tif 000019
2006148918.tif 000020
2006148918.tif 000021
2006148918.tif 000022
2006148918.tif 000023
2006148918.tif 000024
2006148918.tif 000025
2006148918.tif 000026
2006148918.tif 000027
2006148918.tif 000028
2006148918.tif 000029
2006148918.tif 000030
2006148918.tif 000031
2006148918.tif 000032
2006148918.tif 000033
2006148918.tif 000034